(57)【要約】【課題】  板材同士を容易且つ迅速に結合させることが可能な遊技機用筐体を提供することを目的としている。【解決手段】  左右の側面板１０３，１０５、上面板１０２及び下面板１０４からなる筐体本体１００と、筐体本体１００の裏面側に配置された矩形枠状の補強板１０１とが筐体本体１００の４つの隅部において板材結合用金具１により結合される。板材結合用金具１は、左右の側面板１０３，１０５の一方を第１の板材、上面板１０２及び下面板１０４の一方を第２の板材、補強板１０１を第３の板材としたときに、第１の板材と第３の板材とにわたって取り付けられる第１の金具片１０と、第２の板材と第３の板材とにわたって取り付けられる第２の金具片２０とからなっており、軸状部１２を軸受容部２２にスライド受容させて両金具片１０，２０を結合したうえで、第１の金具片１０の平板部１３と第２の金具片２０の平板部２３をともに第３の板材を結合させる。【選択図】        図１２
2005137923.tif 000002
【特許請求の範囲】
【請求項１】
互いに対向するように配置された左右の側面板、これら左右の側面板の上下において互いに対向するように配置された上面板及び下面板がそれぞれの端部において結合されて正面視において矩形枠状となるように構成された筐体本体と、前記筐体本体の裏面側における４つの隅部に四隅を合わせて取り付けられた矩形枠状の補強板とを有して構成される遊技機用筐体であって、
前記左右の側面板の一方を第１の板材、前記上面板及び前記下面板の一方を第２の板材、前記補強板を第３の板材としたときに、
前記第１の板材と前記第２の板材との接合面が延びる方向に一辺が延びるように前記第１の板材に取り付けられる第１基部、この第１基部における前記一辺に沿うように延びて設けられた軸状部及び前記第１基部より前記軸状部と直交する方向に延びて前記第３の板材に取り付けられる第１平板部を備えた第１の金具片と、
前記第１の板材と前記第２の板材との接合面が延びる方向に一辺が延びるように前記第２の板材に取り付けられる第２基部、この第２基部における前記一辺に沿うように延びて設けられ前記軸状部をスライド受容する軸受容部及び前記第２基部より前記軸受容部と直交する方向に延びて前記第３の板材に取り付けられる第２平板部を備えた第２の金具片とから構成される板材結合用金具によって、前記第１の板材、前記第２の板材及び前記第３の板材が互いに略直交するように結合されていることを特徴とする遊技機用筐体。
【請求項２】
互いに対向するように配置された左右の側面板、これら左右の側面板の上下において互いに対向するように配置された上面板及び下面板がそれぞれの端部において結合されて正面視において矩形枠状となるように構成された筐体本体と、前記筐体本体の裏面側における４つの隅部それぞれに取り付けられた計４つの補強板とを有して構成される遊技機用筐体であって、
前記左右の側面板の一方を第１の板材、前記上面板及び前記下面板の一方を第２の板材、これら第１の板材及び第２の板材の結合部に取り付けられる前記補強板を第３の板材としたときに、
前記第１の板材と前記第２の板材との接合面が延びる方向に一辺が延びるように前記第１の板材に取り付けられる第１基部、この第１基部における前記一辺に沿うように延びて設けられた軸状部及び前記第１基部より前記軸状部と直交する方向に延びて前記第３の板材に取り付けられる第１平板部を備えた第１の金具片と、
前記第１の板材と前記第２の板材との接合面が延びる方向に一辺が延びるように前記第２の板材に取り付けられる第２基部、この第２基部における前記一辺に沿うように延びて設けられ前記軸状部をスライド受容する軸受容部及び前記第２基部より前記軸受容部と直交する方向に延びて前記第３の板材に取り付けられる第２平板部を備えた第２の金具片とから構成される板材結合用金具によって、前記第１の板材、前記第２の板材及び前記第３の板材が互いに略直交するように結合されていることを特徴とする遊技機用筐体。
【請求項３】
前記第１平板部と前記第２平板部は前記軸状部が前記軸受容部にスライド受容された状態で重なるようになっており、この重なった状態の前記両平板部が前記第３の板材に取り付けられるようになっていることを特徴とする請求項１又は２記載の遊技機用筐体。
【発明の詳細な説明】
【技術分野】
【０００１】
本発明はパチンコ機等の遊技機用筐体に関し、特に組み立てを容易にした遊技機用筐体に関する。
【背景技術】
【０００２】
箱形遊技機、例えばスロットマシンは独立した筐体構造を有して遊技館内の遊技島に取り付け設置されている。このようなスロットマシンを構成する箱形ケースは、前面側が開口した中空の筐体からなるキャビネットボックスと、このキャビネットボックスの前面側開口を覆って開閉自在に取り付けられた扉状のドアフレームとから構成されている。
【０００３】
スロットマシンの箱形ケースを構成するキャビネットボックスには、外周面に複数の図柄が連続的に描かれた複数（通常３つ）のリール及びこれら複数のリールを回転及び停止させるリール装置、スロットマシンのシステム全体の制御を司るメイン基板、各部に必要な電力の供給を行う電源ボックス、入賞条件等に応じてメダルの払い出しを行うメダル払出装置などのキャビネット側遊技構成装置が取り付けられてキャビネット側アッセンブリが構成されている。一方、ドアフレーム側には各リール外周に描かれた図柄を所定範囲（例えば３図柄の範囲）に限って表示させるための表示窓のほか、メダル投入口やメダルセレクタ、リールの回転をスタートさせるスタートレバー、リールの回転を停止させるストップスイッチ、各種の表示を行うための表示装置やランプ、スピーカなどのドア側遊技構成装置が取り付けられてドア側アッセンブリが構成されている。
【０００４】
ドアフレームとキャビネットボックスとは複数のヒンジ部材を介して連結されており、ドアフレームはこれらヒンジ部材を支点にキャビネットボックスの前方に開くことができるようになっている。ドア側アッセンブリを構成するスタートレバーやストップスイッチ、メダルセレクタ等はキャビネット側アッセンブリを構成する電源ボックスやメイン基板等とワイヤーハーネスにより接続されており、ドアフレームを開扉状態にしてもキャビネット側アッセンブリと電気的に繋がった状態が保持される。なお、ドアフレームはキャビネットボックスとの間に設けられた施錠装置により閉扉状態にされて遊技に供されるようになっている。
【０００５】
スロットマシンを構成する上記キャビネットボックスは木製の上面板、下面板、左側面板、右側面板及び背面板を接合して一面側（前面側）が開口した中空の筐体として組み立てられる。これら板材は接合面にボンド等の所定の接合剤を塗布した後、その接合面より突出した突起を相手側の板材の接合部に形成された基準孔（ボス）に係合されるようになっており、これにより各板材を相手の板材に対して正確に位置決めした状態で、しかも強固に固定し得るようになっている。これは、パチンコ機を初めとする他の遊技機の筐体においても同様である。
【特許文献１】特開２００２−１７７４４２号公報
【発明の開示】
【発明が解決しようとする課題】
【０００６】
しかしながら、このような従来の手順により組み立てられる遊技機用筐体においては、板材間に塗布された接合剤が乾燥するまでかなりの時間を要するとともに、これら接合剤を乾燥させている間の筐体を保管しておく広大なスペースも必要であるために作業効率が悪いという問題があった。また、組み立て後に不慮の事故等で板材等に傷を付けてしまった場合にはその筐体全体が不良品扱いとなって廃棄しなければならず、製造コストが高くなるという問題があった。
【０００７】
本発明はこのような問題に鑑みてなされたものであり、板材同士を容易且つ迅速に結合させることが可能な遊技機用筐体を提供することを目的としている。
【課題を解決するための手段】
【０００８】
本発明に係る遊技機用筐体は、互いに対向するように配置された左右の側面板、これら左右の側面板の上下において互いに対向するように配置された上面板及び下面板がそれぞれの端部において結合されて正面視において矩形枠状となるように構成された筐体本体と、筐体本体の裏面側における４つの隅部に四隅を合わせて取り付けられた矩形枠状の補強板とを有して構成される遊技機用筐体(例えば、実施形態におけるパチンコ機用筐体ＰＣ１)であって、左右の側面板の一方を第１の板材、上面板及び下面板の一方を第２の板材、補強板を第３の板材としたときに、次の（１），（２）の部品から構成される板材結合用金具によって、第１の板材、第２の板材及び第３の板材が互いに略直交するように結合される。
（１）第１の板材と第２の板材との接合面が延びる方向に一辺が延びるように第１の板材に取り付けられる第１基部、この第１基部における上記一辺に沿うように延びて設けられた軸状部及び第１基部より上記軸状部と直交する方向に延びて第３の板材に取り付けられる第１平板部を備えた第１の金具片。
（２）第１の板材と第２の板材との接合面が延びる方向に一辺が延びるように第２の板材に取り付けられる第２基部、この第２基部における上記一辺に沿うように延びて設けられ上記（第１の金具片の）軸状部をスライド受容する軸受容部及び第２基部より上記軸受容部と直交する方向に延びて第３の板材に取り付けられる第２平板部を備えた第２の金具片。
【０００９】
また、もう一つの本発明に係る遊技機用筐体は、互いに対向するように配置された左右の側面板、これら左右の側面板の上下において互いに対向するように配置された上面板及び下面板がそれぞれの端部において結合されて正面視において矩形枠状となるように構成された筐体本体と、筐体本体の裏面側における４つの隅部それぞれに取り付けられた計４つの補強板とを有して構成される遊技機用筐体であって(例えば、実施形態におけるパチンコ機用筐体ＰＣ２)、左右の側面板の一方を第１の板材、上面板及び下面板の一方を第２の板材、これら第１の板材及び第２の板材の結合部に取り付けられる補強板を第３の板材としたときに、次の（１），（２）の部品から構成される板材結合用金具によって、第１の板材、第２の板材及び第３の板材が互いに略直交するように結合される。
（１）第１の板材と第２の板材との接合面が延びる方向に一辺が延びるように第１の板材に取り付けられる第１基部、この第１基部における上記一辺に沿うように延びて設けられた軸状部及び第１基部より上記軸状部と直交する方向に延びて第３の板材に取り付けられる第１平板部を備えた第１の金具片。
（２）第１の板材と第２の板材との接合面が延びる方向に一辺が延びるように第２の板材に取り付けられる第２基部、この第２基部における上記一辺に沿うように延びて設けられ上記（第１の金具片の）軸状部をスライド受容する軸受容部及び第２基部より上記軸受容部と直交する方向に延びて第３の板材に取り付けられる第２平板部を備えた第２の金具片。
【００１０】
上記２つの遊技機用筐体においては、第１平板部と第２平板部は第１の金具片の軸状部が第２の金具片の軸受容部にスライド受容された状態で重なるようになっており、この重なった状態の両平板部が第３の板材に取り付けられるようになっていることが好ましい。
【発明の効果】
【００１１】
本発明に係る遊技機用筐体では、左右の側面板、上面板及び下面板からなる筐体本体と、筐体本体の裏面側に配置された矩形枠状の補強板とが筐体本体の４つの隅部において板材結合用金具により結合される。或いは左右の側面板、上面板及び下面板からなる筐体本体と、筐体本体の裏面側において筐体本体の４つの隅部それぞれに配置された計４つの補強板とが板材結合用金具により結合される。この板材結合用金具は、左右の側面板の一方を第１の板材、上面板及び下面板の一方を第２の板材、補強板を第３の板材としたときに、第１の板材と第３の板材とにわたって取り付けられる第１の金具片と、第２の板材と第３の板材とにわたって取り付けられる第２の金具片とからなっている。ここで、第１の金具片は第１の板材に取り付けられて第１の板材と第２の板材との接合面が延びる方向に延びた軸状部を有しており、第２の金具片は第２の板材に取り付けられて第１の板材と第２の板材との接合面が延びる方向に延びた軸受容部を有している。第１の金具片に形成された軸状部を第２の金具片に形成された軸受容部にスライド受容させて両金具片を結合することにより第１の板材と第２の板材とを略直交状態に結合することができ、その後第１の金具片の一部（第１平板部）と第２の金具片の一部（第２平板部）をともに第３の板材を結合することにより、第１、第２及び第３の板材を互いに略直交状態に結合することができる。このため本発明に係る遊技機用筐体では、その製造（組み立て）過程において、板材同士の接合に時間のかかる接合剤の使用をすることなくこれら３枚の板材を結合することができ、作業を容易且つ迅速に行うことができるので、筐体の生産効率を従来以上に高めることができる。また、従来は板材間に塗布された接合剤が乾燥するまでの間その部品を保管しておくスペースが必要であったが、本発明に係る板材結合用金具を用いることによりこのようなスペースは不要となる。更に、組み立て後に不慮の事故等で板材等に傷が付いてしまった場合であっても各板材間の分離は容易であるため、これら板材を組み合わせてなる部品全体が不良品扱いとなるようなことがなく、製造コストを大幅に低減することができる。
【００１２】
ここで、第１平板部と第２平板部は第１の金具片の軸状部が第２の金具片の軸受容部にスライド受容された状態で重なるようになっており、この重なった状態の両平板部が第３の板材に取り付けられるようになっているのであれば、一つの締結部材（例えば螺子）により両平板部を第３の板材に取り付けることができるようになるので板材の組み立て作業が更に容易になる。
【発明を実施するための最良の形態】
【００１３】
以下、図面を参照して本発明の好ましい実施形態について説明する。先ず、本発明に係る遊技機（例えばパチンコ機）用筐体の組み立てに使用される板材結合用金具１を図１，図２及び図３に基づいて説明する。板材結合用金具１は第１、第２及び第３の板材４１，４２，４３を互いに略直交するように結合するものであり、第１の金具片１０と第２の金具片２０とから構成される。ここで、図１は本板材結合用金具１を上記３枚の板材４１，４２，４３とともに示す分解斜視図であり、図２は本板材結合用金具１により上記３枚の板材４１，４２，４３を組み立てた状態を示す斜視図である。また、図３は図２における矢視IIIより見た平面図である。
【００１４】
図１及び図２に示すように、本板材結合用金具１を構成する第１の金具片１０は、一方向（図１及び図２では上下方向）に細長く延びた基部１１と、この基部１１の一方側（図１及び図２では左側）の長辺部に設けられた軸状部１２と、基部１１の一端部（図１及び図２では下端部）において軸状部１２と直角な方向に延びて設けられた平板部１３とを有して構成されている。基部１１の長手方向両端部（図１及び図２では上下各部）には２つの螺子取り付け孔１４，１５が設けられており、平板部１３には１つの螺子取り付け孔１６が設けられている。
【００１５】
第２の金具片２０は一方向（図１及び図２では上下方向）に細長く延びた基部２１と、この基部の一方側（図１及び図２では右側）の長辺部に設けられた軸受容部２２と、基部２１の一端部（図１及び図２では下端部）において軸受容部２２と直角な方向に延びて設けられた平板部２３とを有して構成されている。基部２１の長手方向両端部（図１及び図２では上下各部）には２つの螺子取り付け孔２４，２５が設けられており、平板部２３には１つの螺子取り付け孔２６が設けられている。
【００１６】
第１の金具片１０の軸状部１２はその断面形状がＵ字状に形成されており、第２の金具片２０の軸受容部２２もこの軸状部１２をスライド受容できるようにその断面形状がＵ字状に形成されている（図３参照）。ここで、第２の金具片２０の基部２１には突起状に形成されたスライドガイド２７，２８が設けられており、これにより第１の金具片１０の軸状部１２は第２の金具片２０の軸受容部２２にスムーズにスライド受容されるようになっている。第１の金具片１０の軸状部１２が第２の金具片２０の軸受容部２２にスライド受容された状態ではこれら両金具片１０，２０は軸状部１２まわりにわずかに揺動自在であるが、上下に重なった両金具片１０，２０の平板部１３，２３に設けられた両螺子取り付け孔１６，２６を一致させたときには、両金具片１０，２０の基部１１，２１は略直交した状態になるように両螺子取り付け孔１６，２６の位置が調整されている。
【００１７】
このような構成の板材結合用金具１を用いて上記３枚の板材４１，４２，４３を互いに略直交するように結合するには、先ず、螺子取り付け孔１４，１５を貫装して設けられる螺子３１，３２により、第１の金具片１０の基部１１を第１の板材４１に取り付ける。このとき軸状部１２の延びる方向が第１の板材４１と第２の板材４２との接合面の延びる方向と平行になるようにする。また、螺子取り付け孔２４，２５を貫装して設けられる螺子３３，３４により、第２の金具片２０の基部２１を第２の板材４２に取り付ける。このとき軸受容部２２の延びる方向が第１の板材４１と第２の板材４２との接合面が延びる方向と平行、すなわち第１の板材４１に取り付けられた第１の金具片１０の軸状部１２と平行になるようにする。
【００１８】
このように第１の金具片１０の基部１１が第１の板材４１に取り付けられ、第２の金具片２０の基部２１が第２の板材４２に取り付けられたら、第１の金具片１０の軸状部１２を第２の金具片２０の軸受容部２２にスライド挿入して第１の金具片１０と第２の金具片２０とを結合する。これにより両板材４１，４２は結合された状態となる。続いて、両金具片１０，２０の平板部１３，２３を上下に重ね、両平板部１３，２３に設けられた螺子取り付け孔１６，２６を一致させて両金具片１０，２０の基部１１，２１が略直交した状態となるようにしたうえで、これら両螺子取り付け孔１６，２６に貫装する螺子３５により、両平板部１３，２３を第３の板材４３に結合する。これにより３枚の板材４１，４２，４３は互いに略直交状態に結合される。なお、このように３枚の板材４１，４２，４３が結合された状態において３枚の板材４１，４２，４３が互いに直交し、且つ第１及び第２の板材４１，４２が第３の板材４３の側面側（外側）に位置するように（図２参照）、螺子３１〜３５が取り付けられる穴を予め設けておくようにする。
【００１９】
図４及び図５は板材結合用金具１の第１及び第２の板材４１，４２への取り付け方法の変形例を示すものであり、図４は板材結合用金具１を３枚の板材４１，４２，４３とともに示す分解斜視図、図５は板材結合用金具１により３枚の板材４１，４２，４３を組み立てた状態を示す斜視図である。図１及び図２を用いた上記説明では、３枚の板材４１，４２，４３が結合された状態で第１及び第２の板材４１，４２が第３の板材４３の側面側（外側）に位置するように第１及び第２の金具片１０，２０の基部１１，２１が両板材４１，４２に取り付けられるように述べたが、図４及び図５の変形例に示すように、これら両金具片１０，２０の基部１１，２１は、３枚の板材４１，４２，４３が結合された状態で、第１及び第２の板材４１，４２が第３の板材４３の表面側（図４及び図５では上方）に位置するように両板材４１，４２に取り付けられるものであってもよい。
【００２０】
また、図１及び図２を用いた上記説明では、第２の金具片２０の軸受容部２２に第１の金具片１０の軸状部１２を上方からスライド挿入して両金具片１０を結合するように述べたが、これとは反対に第１の金具片１０の軸状部１２に第２の金具片２０の軸受容部２２を上方からスライド挿入して両金具片１０，２０を結合するようにしてもよい。この場合は第１の金具１０の平板部１３に対して第２の金具２０の平板部２３が上方から重なるようになる。また、図１及び図２では第１の金具片１０の軸状部１２がその基部１１の左側に設けられるとともに、第２の金具片２０の軸受容部２２がその基部２１の右側に設けられる構成であったが、これとは逆に、第１の金具片１０の軸状部１２がその基部１１の右側に設けられるとともに、第２の金具片２０の軸受容部２２がその基部２１の左側に設けられる構成であってもよい。
【００２１】
このように板材結合用金具１では、第１の金具片１０の軸状部１２を第２の金具片２０の軸受容部２２にスライド受容させて両金具片１０，２０を結合することにより第１の板材４１と第２の板材４２とを略直交状態に結合し、その後第１の金具片１０に形成された平板部１３と第２の金具片２０に形成された平板部２３を第３の板材４３に結合することにより第１及び第２の板材４１，４２を第３の板材４３に略直交状態に結合することができる。このため３枚の板材４１，４２，４３を互いに略直交するように組み立ててなる部品（例えば筐体）を製造するにおいて、板材４１，４２，４３同士の接合に時間のかかる接合剤の使用をすることなくこれら３枚の板材４１，４２，４３を容易且つ迅速に結合することができ、このような部品の生産効率を従来以上に高めることができる。
【００２２】
また、従来は板材間に塗布された接合剤が乾燥するまでその部品を保管しておくスペースが必要であったが、板材結合用金具１を用いることによりこのようなスペースは不要となる。更に、組み立て後に不慮の事故等で板材４１，４２，４３等に傷が付いてしまった場合であっても各板材４１，４２，４３間の分離は容易であるためこれら板材４１，４２，４３を組み合わせてなる部品全体が不良品扱いとなるようなことがなく、製造コストを大幅に低減することができる。
【００２３】
このように板材結合用金具１を用いれば、３枚の板材を互いに略直交するように結合することができるので、複数の板材からなる筐体の組み立てに板材結合用金具１を用いれば、その筐体の組み立てが大変容易になる。板材結合用金具１を用いて組み立てられる筐体の例としては箱型遊技機の筐体が知られている。
【００２４】
図６は箱形遊技機の一例としてのスロットマシンを示すものであり、図６（Ａ）はこのスロットマシンの正面図、図６（Ｂ）は同スロットマシンの右側面図である。本スロットマシン５０は全体として上下に長い矩形箱状に構成されており、その内部には円筒外周面に沿って異なる配置パターンで多種類の図柄が描かれた３つのリール６２ａ，６２ｂ，６２cが設けられている。
【００２５】
本スロットマシン５０の外殻をなす箱形ケースは前方に開口したキャビネットボックス６１（板材結合用金具１を用いて組み立てられた筐体）と、その前方開口を覆うように取り付けられたドアフレーム７１とからなっており、この箱形ケースの内部には遊技構成装置が収納設置されている。また、遊技構成装置はキャビネット側遊技構成装置とドア側遊技構成装置とからなっており、上記キャビネットボックス６１とキャビネット側遊技構成装置とからキャビネット側アッセンブリ６０が構成され、上記ドアフレーム７１とドア側遊技構成装置とからドア側アッセンブリ７０が構成されている。
【００２６】
図７は図６（Ｂ）における矢視VII−VIIより見たキャビネット側アッセンブリ６０の正面図を示している。この図７に示すように前面に開口したキャビネットボックス６１の中央部には上述の３つのリール６２ａ，６２ｂ，６２ｃを回転自在に支持するとともにこれらリール６２ａ，６２ｂ，６２ｃの回転及び停止動作を行わせるリール装置６２が備えられており、キャビネットボックス６１の中央下部には遊技メダルの払い出しを行うメダル払出装置６５が備えられている。
【００２７】
図８は図６（Ｂ）における矢視VIII−VIIIより見たドア側アッセンブリ７０の背面図を示している。この図に示すように、ドアフレーム７１の中央部にはキャビネットボックス６１に取り付けられた３つのリール６２ａ，６２ｂ，６２ｃの図柄を所定範囲に限って表示させる表示窓７５が設けられており、その右下方には遊技者が投入する遊技メダルの投入口であるメダル投入口７６が設けられている。また、図６（Ａ）に示すように、表示窓７５の左下方には３つのリール６２ａ，６２ｂ，６２ｃの回転起動操作を行うスタートレバー７７が設けられており、表示窓７５の中央下方には各リール６２ａ，６２ｂ，６２ｃごとの回転停止操作を行うストップスイッチ７８ａ，７８ｂ，７８ｃが設けられている。
【００２８】
また、表示窓７５の上方には種々の情報を表示可能な表示装置８１が取り付けられており、この表示装置８１の左右には効果音を発生させるスピーカ８２，８２が設置されている。また、ドアフレーム７１の中央下部には遊技メダルが払い出されるメダル払出口８３が設けられており、その下方にはメダル払出口８３より払い出された遊技メダルを受ける受け皿８４が設けられている。
【００２９】
キャビネット側アッセンブリ６０を構成するキャビネットボックス６１とドア側アッセンブリ７０を構成するドアフレーム７１とは、正面視左側縁上下に設けられたヒンジ部材９１ａ，９１ｂ（図８参照）により結合されており、ドアフレーム７１はキャビネットボックス６１の前面側において開閉自在になっている。また、このドアフレーム７１は中央右端部に設けられた施錠装置９２を施錠することにより閉扉状態にすることができる。なお、本スロットマシン５０はドアフレーム７１がこのように閉扉された状態で遊技に供される。また、ドアフレーム７１内に収納設置されたドア側遊技構成装置はキャビネットボックス６１内に収納設置されたキャビネット側遊技構成装置と図示しないワイヤーハーネスにより接続されており、ドアフレーム７１を開扉状態にしてもドア側アッセンブリ７０とキャビネット側アッセンブリ６０とは電気的に繋がった状態が保持される。
【００３０】
このように構成されたスロットマシン５０では、遊技者がメダル投入口７６より遊技メダルを投入し、スタートレバー７７を操作すると、３つのリール６２ａ，６２ｂ，６２ｃが同時に回転起動する。遊技者は回転している３つのリール６２ａ，６２ｂ，６２ｃを任意に選択し、所望の順序及びタイミングでストップスイッチ７８ａ，７８ｂ，７８ｃを操作して、３つのリール６２ａ，６２ｂ，６２ｃを停止させる。
【００３１】
回転していた３つのリール６２ａ，６２ｂ，６２ｃが全て停止すると、入賞図柄の判定、すなわち当たりかはずれかの判定が行われ、図柄の組み合わせが予め定められた入賞図柄の組み合わせに該当するときには、メダル払出装置６５より所定枚数の遊技メダルが払い出される。なお、このとき表示装置８１においてランプ表示がなされ、これと同時にスピーカ８２，８２より効果音が発生する。
【００３２】
このように本スロットマシン５０で遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００３３】
次に、このような構成を有する本スロットマシン５０の箱形ケースを構成するドアフレーム７１とキャビネットボックス６１について説明する。これらドアフレーム７１とキャビネットボックス６１はともに板材により構成されており、ドアフレーム７１は一枚の板材より、またキャビネットボックス６１は複数枚の板材を組み合わせて構成されている。
【００３４】
図９はドアフレーム７１単体をその右上方より見た斜視図、また図１０はキャビネットボックス６１単体をその右上方より見た斜視図である。ドアフレーム７１は図９に示すように一枚板を所定形状に成形した後、ヒンジ部材９１ａ，９１ｂを取り付けるためのヒンジ取り付け部材８９ａ，８９ｂ、図示しない制御用部品を取り付けるための制御用部品取り付け部材９０、施錠装置９２の受け具を取り付けるための補助部材（図示せず）等を所定の位置に取り付けて構成される。
【００３５】
キャビネットボックス６１は図１０に示すように５枚の板材、すなわち上面板６１ａ、下面板６１ｂ、左側面板６１ｃ、右側面板６１ｄ及び背面板６１ｅが前述の板材結合用金具１を介して結合されて組み立てられた一面側（前面側）に開口する筐体である。このキャビネットボックス６１を構成する左側面板６１ｃと右側面板６１ｄそれぞれの中央部には本キャビネットボックス６１を移動するための矩形の指掛け用開口６６，６６が設けられている。また、背面板６１ｅにはキャビネット側アッセンブリ６０を構成するキャビネット側遊技構成装置より延びる配線を本スロットマシン５０の外部に出すための配線用開口６７，６８，６９，…等が設けられている。
【００３６】
図１１は本キャビネットボックス６１を組み立てる手順を（Ａ），（Ｂ）の順に示したものである。このキャビネットボックス６１を組み立てるには、先ず上面板６１ａ及び下面板６１ｂに上述の板材結合用金具１を構成する両金具片１０，２０の一方を取り付けておくとともに、左側面板６１ｃと右側面板６１ｄには上記両金具片１０，２０の他方を取り付けておく。第１の金具片１０と第２の金具片２０のいずれを取り付けるかは、接合される相手方とペアになりさえすれば任意である。なお、図１１では上面板６１ａ及び下面板６１ｂの両端部に第１の金具片１０を取り付け、左側面板６１ｃ及び右側面板６１ｄの両端部に第２の金具片２０を取り付けた場合の例を示している。
【００３７】
上記のように各板材に第１の金具片１０或いは第２の金具片２０が取り付けられたら、背面板６１ｅを水平にしてその左右両端部に左側面板６１ｃと右側面板６１ｄを垂直に位置させる。そして、第１の金具片１０の軸状部１２が第２の金具片２０の軸受容部２２にスライド挿入されるように両金具片１０，２０を結合し、４枚の板材６１ａ，６１ｂ，６１ｃ，６１ｄを結合させる（図１１（Ａ）参照）。そして、これら４枚の板材６１ａ，６１ｂ，６１ｃ，６１ｄを結合した４つの板材結合用金具１における両金具片１０．２０の平板部１３，２３をそれぞれ重ね合わせた状態で、これら両平板部１３，２３に設けられた螺子取り付け孔１６，２６を貫通するように螺子３５を取り付けて４つの板材結合用金具１を背面板６１ｅの四隅に取り付ける（図１１（Ｂ）参照）。これにより５枚の板材、すなわち上面板６１ａ、下面板６１ｂ、左側面板６１ｃ、右側面板６１ｄ及び背面板６１ｅは互いに略直交するように結合された状態となり、キャビネットボックス６１の組み立ては完了する。
【００３８】
このように組み立てられたキャビネットボックス、すなわち板材結合用金具１を用いて組み立てられた筐体では、背面板６１ｅ側に位置する四隅それぞれを構成する３枚の板材の結合に板材結合用金具１が用いられるのでその組み立ては大変容易であり、その生産効率を従来に比して向上させることができる。
【００３９】
このようにして組み立てられたキャビネットボックス６１には前述のキャビネット側遊技構成装置（リール装置６２など）が収納設置されてキャビネット側アッセンブリ６０が構成される。このようにスロットマシン５０では遊技構成装置が取り付けられる筐体に筐体（キャビネットボックス６１）が用いられているのでスロットマシン５０全体の組み立て工程を短縮することができ、その生産性を向上させることができる。
【００４０】
図１２は本発明の一実施形態に係るパチンコ機用筐体ＰＣ１を示している。このパチンコ機用筐体ＰＣ１は前述のキャビネットボックス６１を構成する上面板６１ａ、下面板６１ｂ、左右の側面板６１ｃ，６１ｄ及び背面板６１ｅに相当する上面板１０２、下面板１０４、左右の側面板１０３，１０５及び補強板１０１が板材結合用金具１によって正面視（図１２では図中に示す矢印の方向）において矩形枠状となるようにに組み立てられた構成を有しており、補強板１０１は図に示すように所要広さの開口１０１ａを有した矩形枠状の板材からなっている。すなわちパチンコ機用筐体ＰＣ１は、互いに対向するように配置された左右の側面板１０３，１０５、これら左右の側面板１０３，１０５の上下において互いに対向するように配置された上面板１０２及び下面板１０４がそれぞれの端部において結合されて正面視において矩形枠状となるように構成された筐体本体１００と、この筐体本体１００の裏面側における４つの隅部に四隅を合わせて取り付けられた矩形枠状の補強板１０１とを有して構成されている。
【００４１】
ここで、上記パチンコ機用筐体ＰＣ１は、左右の側面板１０３，１０５の一方を第１の板材、上面板１０２及び下面板１０４の一方を第２の板材、補強板１０１を第３の板材としたときに、これら３つの板材が結合用金具１により前述の要領で（第１の板材４１、第２の板材４２及び第３の板材４３を結合したように）結合されたものとなっている。
【００４２】
図１３は本発明のもう一つの実施形態に係るパチンコ機筐体ＰＣ２を示している。このパチンコ機用筐体ＰＣ２は前述のキャビネットボックス６１を構成する上面板６１ａ、下面板６１ｂ、左右の側面板６１ｃ，６１ｄ及び背面板６１ｅに相当する上面板１１２、下面板１１４、左右の側面板１１３，１１５及び計４つの補強板１１１ａ，１１１ｂ，１１１ｃ，１１１ｄが板材結合用金具１によって正面視（図１３では図中に示す矢印の方向）において矩形枠状となるように組み立てられた構成を有している。すなわちパチンコ機用筐体ＰＣ２は、互いに対向するように配置された左右の側面板１１３，１１５、これら左右の側面板１１３，１１５の上下において互いに対向するように配置された上面板１１２及び下面板１１４がそれぞれの端部において結合されて正面視において矩形枠状となるように構成された筐体本体１１０と、筐体本体１１０の裏面側における４つの隅部それぞれに取り付けられた計４つの補強板１１１ａ，１１１ｂ，１１１ｃ，１１１ｄとを有して構成されている。
【００４３】
ここで、上記パチンコ機用筐体ＰＣ２は、左右の側面板１１３，１１５の一方を第１の板材、上面板１１２及び下面板１１４の一方を第２の板材、これら第１の板材及び第２の板材の結合部に取り付けられる補強板（１１１ａ，１１１ｂ，１１１ｃ，１１１ｄのいずれか）を第３の板材とし、これら３つの板材を結合用金具１で前述のように（第１の板材４１、第２の板材４２及び第３の板材４３を結合したように）結合することにより組み立てられる。
【００４４】
このように本発明に係る遊技機用筐体であるパチンコ機用筐体ＰＣ１では、左右の側面板１０３，１０５、上面板１０２及び下面板１０４からなる筐体本体１００と、筐体本体１００の裏面側に配置された矩形枠状の補強板１０１とが筐体本体１００の４つの隅部において板材結合用金具１により結合される。また、同じく本発明に係る遊技機用筐体であるパチンコ機用筐体ＰＣ２では、左右の側面板１１３，１１５、上面板１１２及び下面板１１４からなる筐体本体１１０と、筐体本体１１０の裏面側において筐体本体１１０の４つの隅部それぞれに配置された計４つの補強板１１１ａ，１１１ｂ，１１１ｃ，１１１ｄとが板材結合用金具１により結合される。この板材結合用金具１は、左右の側面板１０３，１０５（或いは１１３，１１５）の一方を第１の板材、上面板１０２（或いは１１２）及び下面板１０４（或いは１１４）の一方を第２の板材、補強板１０１（或いは１１１ａ，１１１ｂ，１１１ｃ，１１１ｄのいずれか）を第３の板材としたときに、第１の板材と第３の板材とにわたって取り付けられる第１の金具片１０と、第２の板材と第３の板材とにわたって取り付けられる第２の金具片２０とからなっている。ここで、第１の金具片１０は第１の板材に取り付けられて第１の板材と第２の板材との接合面が延びる方向に延びた軸状部１２を有しており、第２の金具片２０は第２の板材に取り付けられて第１の板材と第２の板材との接合面が延びる方向に延びた軸受容部２２を有している。第１の金具片１０に形成された軸状部１２を第２の金具片２０に形成された軸受容部２２にスライド受容させて両金具片１０，２０を結合することにより第１の板材と第２の板材とを略直交状態に結合することができ、その後第１の金具片１０の一部（平板部１３）と第２の金具片２０の一部（平板部２３）をともに第３の板材を結合することにより、第１、第２及び第３の板材を互いに略直交状態に結合することができる。
【００４５】
このため本発明に係る遊技機（パチンコ機）用筐体では、その製造（組み立て）過程において、板材同士の接合に時間のかかる接合剤の使用をすることなくこれら３枚の板材を結合することができ、作業を容易且つ迅速に行うことができるので、筐体の生産効率を従来以上に高めることができる。また、従来は板材間に塗布された接合剤が乾燥するまでの間その部品を保管しておくスペースが必要であったが、本発明に係る板材結合用金具を用いることによりこのようなスペースは不要となる。更に、組み立て後に不慮の事故等で板材等に傷が付いてしまった場合であっても各板材間の分離は容易であるため、これら板材を組み合わせてなる部品全体が不良品扱いとなるようなことがなく、製造コストを大幅に低減することができる。
【００４６】
これまで本発明の好ましい実施形態について説明してきたが、本発明の範囲は上述のものに限定されない。例えば、上述した実施形態においては、第１の金具片１０の軸状部１２を第２の金具片２０の軸受容部２２にスライド受容させた状態においては第１の金具片１０の平板部１３と第２の金具片２０の平板部２３とが重なり、この重なった状態の両平板部１３，２３をまとめて第３の板材４３に結合する構成であったが、これら両平板部１３，２３は必ずしも重なった状態で第３の板材４３に結合される必要はなく、これら両平板部１３，２３がそれぞれ単独で第３の板材４３に結合される構成とすることもできる。しかし、上述の実施形態において示したように、両平板部１３，２３が重なった状態で第３の板材４３に結合される構成であれば、平板部１３，２３を第３の板材４３に結合する部材（螺子）が一つで済むとともに、両金具片１０，２０における基部１１，２１のなす角度、すなわちこれら両金具片１０，２０が取り付けられる両板材４１，４２のなす角度を正確に決定することができるので、３枚の板材４１，４２，４３の組み立てを容易にするという観点からは前者の方が好ましいといえる。
【図面の簡単な説明】
【００４７】
【図１】本発明に係る遊技機用筐体の組み立てに使用される板材結合用金具の構成をこれにより結合される３枚の板材とともに示す分解斜視図である。
【図２】板材結合用金具により３枚の板材を組み立てた状態を示す斜視図である。
【図３】図２における矢視IIIより見た平面図である。
【図４】板材結合用金具の板材への取り付け方法の変形例を示す図であり、本板材結合用金具を３枚の板材とともに示す分解斜視図である。
【図５】板材結合用金具の板材への取り付け方法の変形例を示す図であり、本板材結合用金具により３枚の板材を組み立てた状態を示す斜視図である。
【図６】箱形遊技機の一例としてのスロットマシンを示す図であり、（Ａ）はこのスロットマシンの正面図、（Ｂ）は同スロットマシンの右側面図である。
【図７】図６（Ｂ）における矢視VII−VIIより見たキャビネット側アッセンブリの正面図である。
【図８】図６（Ｂ）における矢視VIII−VIIIより見たドア側アッセンブリの背面図である。
【図９】ドアフレーム単体をその右上方より見た斜視図である。
【図１０】キャビネットボックス単体をその右上方より見た斜視図である。
【図１１】キャビネットボックスを組み立てる手順を（Ａ），（Ｂ）の順に示す図である。
【図１２】本発明に係る遊技機（パチンコ機）用筐体の一例を示す斜視図である。
【図１３】もう一つの本発明に係る遊技機（パチンコ機）用筐体の一例を示す斜視図である。
【符号の説明】
【００４８】
１      板材結合用金具
１０    第１の金具片
１１    基部
１２    軸状部
１３    平板部
１４，１５，１６    螺子取り付け孔
２０    第２の金具片
２１    基部
２２    軸受容部
２３    平板部
２４，２５，２６    螺子取り付け孔
２７，２８    スライドガイド
３１〜３５    螺子
４１，４２，４３    板材
５０    スロットマシン
６０    キャビネット側アッセンブリ
６１    キャビネットボックス
６１ａ  上面板
６１ｂ  下面板
６１ｃ  左側面板
６１ｄ  右側面板
６１ｅ  背面板
６２    リール装置
６２ａ，６２ｂ，６２ｃ  リール
６５    メダル払出装置
６６    指掛け用開口
６７，６８，６９    配線用開口
７０    ドア側アッセンブリ
７１    ドアフレーム
７５    表示窓
７６    メダル投入口
７７    スタートレバー
７８ａ，７８ｂ，７８ｃ  ストップスイッチ
８１    表示装置
８２    スピーカ
８３    メダル払出口
８４    受け皿
８９ａ，８９ｂ    ヒンジ取り付け部材
９０    制御用部品取り付け部材
９１ａ，９１ｂ    ヒンジ部材
９２    施錠装置
１００  筐体本体
１０１  補強板
１０１ａ  開口
１０２  上面板
１０３  側面板
１０４  下面板
１０５  側面板
１１０  筐体本体
１１１ａ  補強板
１１１ｂ  補強板
１１１ｃ  補強板
１１１ｄ  補強板
１１２  上面板
１１３  側面板
１１４  下面板
１１５  側面板
ＰＣ１  パチンコ機用筐体（遊技機用筐体）
ＰＣ２  パチンコ機用筐体（遊技機用筐体）
【図１】
2005137923.tif 000003
【図２】
2005137923.tif 000004
【図３】
2005137923.tif 000005
【図４】
2005137923.tif 000006
【図５】
2005137923.tif 000007
【図６】
2005137923.tif 000008
【図７】
2005137923.tif 000009
【図８】
2005137923.tif 000010
【図９】
2005137923.tif 000011
【図１０】
2005137923.tif 000012
【図１１】
2005137923.tif 000013
【図１２】
2005137923.tif 000014
【図１３】
2005137923.tif 000015